(57)【特許請求の範囲】
【請求項１】
台座には、横向きに開口されて構造材の辺部にはめられる挿入口が形成されており、回動体には、構造材の辺部の裏面側に押圧される押圧部が形成されており、回動体は、前記台座に回動自在に組み合わせられており、台座の挿入口が構造材の辺部にはめられ、回動体の押圧部が構造材の辺部の裏面側に押圧されたとき、押圧部が挿入口内に突出されるとともに、前記押圧箇所が回動中心よりも挿入口の開口側に位置する取付金具。
【請求項２】
請求項１記載の取付金具が構造材の辺部にはめられ、回動体の押圧部が前記辺部の裏面側に押圧されたとき、回動体が係止される係止手段が設けられている取付金具。
【発明の詳細な説明】
【０００１】
【産業上の利用分野】
本願発明は、Ｈ形鋼等の構造材に取り付けるための取付金具に関するものである。
【０００２】
【従来の技術】
従来技術について、図２７により説明する。これは、屋根材を取り付けるための取付金具Ａの一般的な取り付け例を示している。この場合には、Ｈ形鋼等の構造材Ｅの上辺部Ｅ１に取付金具Ａを溶接している。また、溶接せずに取付金具Ａを取り付ける方法としては、構造材Ｅの上辺部Ｅ１を取付金具Ａで両側から挟み込んでボルトで締め付ける方法もある。さらに、特開平８−２３２４０７号のように、ボルト締めではなく、取付金具Ａを押圧させることで固定する方法も考えられている。
【０００３】
【発明が解決しようとする課題】
溶接による取り付けの場合は、高所で溶接器具のコードを引きずりながら作業しなければならないためきわめて危険であり、確実に取り付けるためには手間がかかり熟練を要していた。また、一旦取り付けてしまうと、やり直すことが困難であった。
構造材の上辺部を取付金具で両側から挟み込んでボルトで締め付ける取付金具の場合には、構造材の上辺部の幅や厚みが異なると取り付けることができなかった。
【０００４】
また、特開平８−２３２４０７号の場合には、上辺部が平らになるように配設される構造材に対して、上辺部の裏面側に台座の開口部の下側を当て、押圧接点を構造材の上辺部の表面側にして取り付けるため、上辺部の厚みが薄い場合にはゆるくて固定することができず、上辺部の厚みが厚い場合にははめることができない場合があった。さらに、上辺部の裏面側がこの取付金具の基準となるため、屋根材の高さも不揃いになる可能性があった。
【０００５】
【課題を解決するための手段】
本願発明の取付金具は、台座と回動体とを有している。
台座は、挿入口を有しており、その挿入口は、横向きに開口されて構造材の辺部にはめられるようになっている。辺部とは、構造材の上辺部または下辺部のことであり、挿入口を横方向からはめることができるものである。
台座は回動体と回動自在に組み合わせられており、回動体には、構造材の辺部の裏面側から押圧される押圧部が形成されている。その押圧部の辺部への押圧箇所は、回動体が台座に組み合わせられた回動中心よりも挿入口の開口側に設けられている。
このような構成の取付金具を構造材に取り付ける際には、台座の挿入口を構造材の辺部にはめ、回動体を回動させて、押圧部を構造材の辺部の裏面側に押圧させて固定する。
このとき、回動体の回動中心と、押圧部の中心とは一致せず、押圧部の中心が挿入口の開口側へずれていることで、押圧箇所が回動中心よりも挿入口の開口側となり、押圧箇所が辺部の裏面側にしっかり押圧され、しかも簡単に取付金具を固定することができる。また、このとき、押圧部は挿入口内に徐々に突出して、押圧固定される。
【０００６】
請求項２記載の発明は、前述の取付金具が構造材の辺部にはめられ、回動体の押圧部が前記辺部の裏面側に押圧されたとき、回動体が係止される係止手段が設けられていることを特徴とする取付金具に関するものである。
その係止手段として、たとえば、加力ボルトによって、回動体を係止する方法がある。加力ボルトを前述の取付金具の台座から回動体の板面に向かって貫通するが、その加力ボルトの長さは、その加力ボルトを締めることで、回動体の押圧部が構造材の辺部の裏面側に押圧係止される長さを有している。このような手段を用いて、その動きを阻止するようにして回動体を係止し、いっそう強固な固定を成すものである。
【０００７】
【実施例】
本願発明の取付金具Ａについて、図面をもとに説明する。図１は本発明に係る取付金具Ａの実施例の斜視図であり、図２はその正面図であり、図３は背面図であり、図４は右側面図であり、図５及び図６は取り付け状態の説明図である。
また、図７から図１２は、図１に示した実施例の一部を変形させた例を示す説明図である。そして、図１３から図１８は、本願発明に係る取付金具Ａの取り付けを強固にする工夫を成した例を示す説明図である。さらに、図１９及び図２０は、別の形状の屋根材４を取り付けるための取付金具Ａの実施例の説明図であり、図２１は、別の構造材Ｅに取り付ける場合の説明図である。
図２２は、天井材を取り付けるために、取付金具Ａの構造材Ｅへの取り付け位置を変えた例を示す説明図である。
図２３から図２６は、係止手段の実施例を示す説明図である。
【０００８】
本願発明の実施例について、まず図１から図６をもとに説明する。これらに示された取付金具Ａは、屋根材４を取り付けることを目的としているので、屋根材固定体Ａ１と台座Ａ２と回動体Ａ３とから成っている。
屋根材固定体Ａ１は、全体的に、下向きに開口する断面略コ字状であり、両肩が突出している形状である。本実施例の場合には、屋根材固定体Ａ１は、頂部分１１ａとその左右両側を斜めに折り下げた斜辺部分１１ｃ・１１ｃと、斜辺部分１１ｃ・１１ｃを内側方向に折り曲げた箇所である突出部分１１ｂ・１１ｂとから成る頭部１１を有している。
そして、突出部分１１ｂ・１１ｂを形成したのちに、下端を下方向に延出した起立部１２・１２を形成してある。本実施例の起立部１２の一側には、ボルト回り止め１２ａが形成されている。このボルト回り止め１２ａは、後述する軸ボルトＢ’の頭部を両側から挟み込むように、一対で形成されている。
台座Ａ２も、下向きに開口する断面略コ字状であり、台座平面部２１と、その左右両側を折り下げた側壁部２２・２２とを有している。その側壁部２２・２２には、取付金具Ａを構造材Ｅの上辺部Ｅ１に嵌めるために切り欠かれた挿入口２２ａ・２２ａが形成されている。本実施例の挿入口２２ａ・２２ａは、外側方向に開口する略コ字状をしているが、奥側の角部はＲ状になって力が分散するようになっている。もし、それぞれの角が直角になっていたならば、応力が角に集中して亀裂がはいる恐れがあるからである。
回動体Ａ３は、上向きに開口する断面略コ字状であり、板面３２と、その左右両側を立ち上げた側面３１・３１とを有している。そして、側面３１・３１には、構造材Ｅの上辺部Ｅ１の裏面側に押圧される押圧部３１ａ・３１ａが形成されている。押圧部３１ａ・３１ａの形状は円弧状であり、その円弧の上縁部分が、回動体Ａ３が回動して上辺部Ｅ１の裏面側に押圧される際の押圧箇所となる。
【０００９】
屋根材固定体Ａ１と台座Ａ２と回動体Ａ３とは、次のように組み合わせられている。まず、台座Ａ２の側壁部２２・２２を起立部１２・１２が挟むようにし、頭部１１と台座平面部２１との間に間隔をあけて屋根材固定体Ａ１をかぶせる。このとき、起立部１２・１２を貫通する軸ボルトＢ’が挿入口２２ａ・２２ａより上方の側壁部２２・２２に位置するようにし、屋根材固定体Ａの起立部１２・１２と側壁部２２・２２との重なり部分を軸ボルトＢ’で貫通して座金Ｄをはめ、ナットＣで固定する。この固定は、屋根材固定体Ａ１を前後に動かすことができる程度の固定である。
そして、挿入口２２ａ・２２ａより下方の側壁部２２・２２の内側に回動体Ａ３を組み合わせる。そして、側壁部２２・２２と側面３１・３１との重なり部分を軸ボルトＢ’で貫通して座金Ｄをはめ、ナットＣで固定する。このとき、この軸ボルトＢ’を中心にして回動体Ａ３が回動する状態になっている。尚、回動体Ａ３を、台座Ａ２の外側に位置させ、台座Ａ２の側壁部２・２２を両側から挟み込むようにして組み合わせることもできる。
また、台座Ａ２の台座平面部２１は、屋根材固定体Ａ１よりも突出しており、その突出箇所の裏面側にはナットＣが溶接されている。本実施例の場合には溶接によってナットＣが取り付けられているが、次のような方法に代えることも可能である。たとえば、台座平面部２１に穴をあけ、そこにカシメナットと称されるナットを通し、そのナットをかしめて取り付けることもできる。このカシメナットは、ナット穴の一側において、その穴の周囲に添ってかしめ部分を薄く立ち上げてあり、その立ち上げ部分をかしめて用いる。さらに、台座平面部２１にタップをたてることもできる。その場合には、台座平面部２１に穴をあけながら、穴の周囲の金属を内側方向に絞り、そこに溝を刻むのである。尚、穴の周囲の金属を内側方向に絞らなくても溝を形成することはできる。
本実施例の場合には、台座平面部２１と、台座平面部２１の裏面側に溶接されたナットＣを貫通して加力ボルトＢが差し込まれている。加力ボルトＢの長さは、その加力ボルトＢを締めることで、回動体Ａ３の押圧部３１ａ・３１ａが構造材Ｅの上辺部Ｅ１の裏面側に押圧係止され、取付金具Ａが固定される長さを有している。つまり、加力ボルトＢが、回動体Ａ３の動きが阻止される係止手段となっているのである。
【００１０】
次に、図５及び図６により、本実施例の取付金具Ａの取り付け状態と、屋根材４の取り付け状態について説明する。図５は背面側から見た取り付け状態を示しており、図６は右側面側から見た取り付け状態を示している。
まず、本実施例の取付金具Ａが用いられる屋根材４について説明する。この屋根材４は金属製であって折板と称されており、谷部４２と、その左右の斜面部４３・４３とを有しており、斜面部４３・４３には取付金具Ａの屋根材固定体Ａ１に嵌めるための嵌合部分４３ａ・４３ａが形成されている。そして、斜面部４３・４３の両端は、それぞれ外側方向に延出されて水平状部４１・４１が形成されている。一方の水平状部４１の端部には内側ハゼ４４が、他方の水平状部４１の端部には外側ハゼ４５が形成されている。
【００１１】
取付金具Ａの構造材Ｅへの取り付けは、次のようにして行う。図５及び図６に示した構造材Ｅは、上辺部Ｅ１と下辺部Ｅ２とを有するＨ形鋼と称されるものである。まず、取付金具Ａの台座Ａ２の挿入口２２ａ・２２ａを構造材Ｅの上辺部Ｅ１の一側にはめる。次に、台座Ａ２の台座平面部２１から挿入されている加力ボルトＢを締めて回動体Ａ３の板面３２を押しつけるようにする。このとき、回動体Ａ３の側面３１・３１に形成されている押圧部３１ａ・３１ａは、挿入口２２ａ・２２ａ内に徐々に突出していく。また、構造材Ｅの上辺部Ｅ１の裏面側に徐々に押圧されるので、回動体Ａ３が係止し取付金具Ａがしっかり固定されるまで加力ボルトＢを締め付ける。
本願発明に係る取付金具Ａは、回動体Ａ３の押圧部３１ａ・３１ａが構造材Ｅの辺部（上辺部Ｅ１または下辺部Ｅ２）へ取り付けられる際の押圧箇所は、回動体Ａ３が台座Ａ２に組み合わせられた回動中心よりも挿入口２２ａ・２２ａの開口側に設けられている。このとき、回動体Ａ３の回動中心と、押圧部３１ａ・３１ａの中心とは一致せず、押圧部３１ａ・３１ａの中心が挿入口２２ａ・２２ａの開口側へずれている（偏心）ことで、押圧箇所が回動中心よりも挿入口２２ａ・２２ａの開口側となり、押圧箇所が辺部の裏面側にしっかり押圧され、しかも簡単に取り付けることができるのである。
尚、本実施例の場合には、屋根材固定体Ａ１は、台座Ａ２に取り付けられた軸ボルトＢ’を中心にして回動することができる。このため、屋根材４の勾配に応じて屋根材固定体Ａ１が前後に傾くので、勾配に合わせて動かしてから軸ボルトＢ’をきつく締め、屋根材４が添う状態にして固定する。
そして、左右の取付金具Ａ・Ａ間に屋根材４の谷部が位置するようにし、それらの取付金具Ａ・Ａの屋根材固定体Ａ１・Ａ１の突出部分１ｂ・１ｂに屋根材４・４の嵌合部分４３ａ・４３ａをはめる。このとき、すでに施工された屋根材４の内側ハゼ４４に、次に施工する屋根材４の外側ハゼ４５をかぶせ、さらにそのかぶせた外側ハゼ４５をハゼ締めして屋根材４・４を施工していく。
【００１２】
次に、図７及び図８に基づき説明する。図７は背面側から見た取り付け状態を示しており、図８は右側面側から見た取り付け状態を示している。
本実施例については、前述の実施例と異なっている、台座Ａ２の形状についてのみ説明する。ここに示した取付金具Ａの台座Ａ２は、前述の取付金具Ａの台座Ａ２が、下向きに開口する断面略コ字状であったのに対し、背面部２３を有した形状となっている。
詳述すると、側壁部２２・２２と背面部２３とから成る、正面側に開口する断面略コ字状であるそれぞれの辺と、背面部２３の上縁を正面側に折り曲げた台座平面部２１とが形成された台座Ａ２となっている。
【００１３】
続いて、図９及び図１０に基づき説明する。図９は背面側から見た取り付け状態を示しており、図１０は右側面側から見た取り付け状態を示している。この取付金具Ａは、これまで述べた実施例と同じ屋根材４に用いるが、勾配に応じて角度を調整できない点が異なっている。
また、本実施例についても、これまで述べた実施例と異なる箇所のみ説明する。ここに示した取付金具Ａは、屋根材固定体Ａ１の起立部１２・１２の下縁をそれぞれ外側方向に折り曲げてある。そして、図１に示した取付金具Ａの台座Ａ２と同様の構成の台座Ａ２を、その起立部１２・１２間に組み合わせている。
【００１４】
続いて、図１１及び図１２に基づき説明する。図１１は背面側から見た取り付け状態を示しており、図１２は右側面側から見た取り付け状態を示している。この取付金具Ａも、図９及び図１０と同様に、勾配に応じて角度を調整することはできない。
本実施例についても、これまで述べた実施例と異なる箇所のみ説明する。ここに示した取付金具Ａは、図１に示した取付金具Ａの屋根材固定体Ａ１の起立部１２・１２と台座Ａ２の側壁部２２・２２とをつなげたような形状をしている。そして、台座Ａ２の側壁部２２・２２の上縁に、下向きに開口する断面略コ字状の台座平面部２１を掛け渡し、左右をボルトとナットＣ及び座金Ｄを用いて側壁部２２・２２に組み合わせている。
【００１５】
さらに図１３から図１８について説明するが、これらは、本発明に係る取付金具Ａの取り付けを強固にする工夫を成した例を示す説明図である。
図１３及び図１４は、図１に示した取付金具Ａにおいて、台座Ａ２の台座平面部２１を貫いている加力ボルトＢの下側方向からナットＣをはめてある。そのナットＣをきつく締めることで、加力ボルトＢの固定が強固にでき、従って、回動体Ａ３の板面３２への加力が維持でき、いっそう外れにくくなる。
【００１６】
図１５（ア）は、回動体Ａ３の板面３２にくぼみ部３２ａを設けたものであり、（イ）は、回動体Ａ３の動きを示したものである。くぼみ部３２ａを形成したことにより、上方向からの加力ボルトＢの加力に対し、加力ボルトＢの先端がふらついて滑ったり逃げたりするのを防ぐので、回動体Ａ３がいっそう強く押圧係止され、従って取付金具Ａが強固に固定される。
【００１７】
図１６から図１８は、回動体Ａ３の側面部３１・３１に形成された押圧部３１ａ・３１ａの形状を変えたものである。図１６及び図１７は、単なる円弧状の押圧部３１ａ・３１ａと異なり、図のように鋸の歯のようにすることで、構造材Ｅの上辺部Ｅ１の裏面側へ確実に回動体Ａ３が押圧されるようにしている。
図１８は、円弧状の押圧部３１ａ・３１ａに角を付けて、多角形にしてある。こちらも図１６及び図１７同様に、構造材Ｅの上辺部Ｅ１の裏面側への押圧をいっそう強くする工夫である。
【００１８】
続いて説明する図１９及び図２０（ア）（イ）は、別の形状の屋根材４を取り付けるための取付金具Ａの実施例の説明図である。まず、図１９から説明するが、これは背面側から見た図である。
ここに示した取付金具Ａは、次のような屋根材４に用いられる。その屋根材４は、山部４６と谷部４２を交互に形成し、隣り合う屋根材４・４の山部４６・４６同士を重ねて用いる。このような屋根材４を取り付けるための取付金具Ａと、その取付金具Ａに屋根材４を取り付ける方法とを説明する。
ここに示した取付金具Ａも、屋根材固定体Ａ１と台座Ａ２と回動体Ａ３とを有している。屋根材固定体Ａ１は、頭部１１と、その左右両側を折り下げた起立部１２・１２とを有しており、頭部１１には、屋根材４を裏面側から貫通することができる止着具が上向きに取り付けられている。屋根材固定体Ａ１の頭部１１と台座Ａ２の台座平面部２１との間には、間隔があけられている。
台座Ａ２と回動体Ａ３は、図１に示した取付金具Ａと同様の構成をしているので説明を省略する。前述の屋根材固定体Ａ１の起立部１２・１２で台座Ａ２の側壁部２２・２２を左右から挟み込むようにし、起立部１２・１２と側壁部２２・２２との重なり箇所を軸ボルトＢ’で貫通し、座金ＤをはめてからナットＣで締め付けて接続している。さらに、本実施例の場合にも、図１から図６に示したものと同じ構成の加力ボルトＢが取り付けられている。
【００１９】
このような構成の取付金具Ａの構造材Ｅへの取り付けは、次のようにして行う。まず、取付金具Ａの台座Ａ２の挿入口２２ａ・２２ａを構造材Ｅの上辺部Ｅ１の一側にはめる。次に、台座Ａ２の台座平面部２１から挿入されている加力ボルトＢを締めて回動体Ａ３の板面３２を押しつけるようにする。このとき、回動体Ａ３の側面３１・３１に形成されている押圧部３１ａ・３１ａが、構造材Ｅの上辺部Ｅ１の裏面側に押圧され、取付金具Ａがしっかり固定されるまで加力ボルトＢを締め付ける。
屋根材４の施工は、左右に隣り合う取付金具Ａ・Ａの間に谷部４２が位置し、取付金具Ａの頭部１１の上で、隣り合う屋根材４・４の山部４６と山部４６とが重なるように屋根材４を置く。そして、その重なり箇所を、取付金具Ａの屋根材固定体Ａ１の頭部１１から突出している止着具に貫通させ、防水材をかませてから座金Ｄをはめ、ナットＣで締め付けて行う。
【００２０】
図２０（ア）（イ）は、いわゆるハゼ折板と称される屋根材４の取り付け状態を示しており、（ア）は背面側から見た状態で（イ）は右側面側から見た状態である。
ここに示した取付金具Ａは、次のような屋根材４に用いられる。その屋根材４は、山部４６と、その両脇の斜面部４３・４３と、斜面部４３・４３を外側方向へ折り曲げた水平状部４１・４１を有しており、一方の水平状部４１の端部には内側ハゼ４４が、他方の水平状部４１の端部には外側ハゼ４５が形成されている。このような屋根材４を取り付けるための取付金具Ａと、その取付金具Ａに屋根材４を取り付ける方法とを説明する。
ここに示した取付金具Ａも、屋根材固定体Ａ１と台座Ａ２と回動体Ａ３とを有しているが、屋根材固定体Ａ１の起立部１２・１２と台座Ａ２とは一体形成されている。詳述すると、台座Ａ２は、側壁部２２・２２と背面部２３とから成る、正面側に開口する断面略コ字状であるそれぞれの辺と、背面部２３の上縁を正面側に折り曲げた台座平面部２１とを有している。
屋根材固定体Ａ１は、台座Ａ２の側壁部２２・２２を上方に延出させてから起立部１２・１２としており、起立部１２・１２間に吊子５を挟み込み、ボルトやナットＣを用いて固定している。そして、起立部１２・１２の上縁は、折り曲げられて頭部１１・１１となっている。その頭部１１・１１は、起立部１２・１２の上縁がそれぞれ外側方向に折り曲げられ、かつ、裏面側に開口する円弧状に形成されたものである。
台座Ａ２において、台座平面部２１の裏面側にはナットＣが溶接されており、台座平面部２１から回動体Ａ３の板面３２に向かって加力ボルトＢが貫通されている。尚、裏面側に溶接されたナットＣの代わりに、前述の手段を用いることも可能である。回動体Ａ３の構成及び台座Ａ２との接続方法は、図１に示した取付金具Ａと同様であるので説明を省略する。
【００２１】
このような構成の取付金具Ａの構造材Ｅへの取り付けは、次のようにして行う。まず、取付金具Ａの台座Ａ２の挿入口２２ａ・２２ａを構造材Ｅの上辺部Ｅ１の一側にはめる。次に、台座Ａ２の台座平面部２１から挿入されている加力ボルトＢを締めて回動体Ａ３の板面３２を押しつけるようにする。このとき、回動体Ａ３の側面３１・３１に形成されている押圧部３１ａ・３１ａが、構造材Ｅの上辺部Ｅ１の裏面側に押圧され、取付金具Ａがしっかり固定されるまで加力ボルトＢを締め付ける。
屋根材４の施工は、左右に隣り合う取付金具Ａ・Ａの間に谷部４２が位置し、頭部１１に水平状部４１・４１が載るように屋根材４を配置する。このとき、すでに施工されている屋根材４の内側ハゼ４４を、吊子５の上端を折り曲げるなどして固定する。さらに、その上から、隣りに施工する屋根材４の外側ハゼ４５をかぶせ、ハゼ締め機で締め付けて屋根材４を施工していく。
尚、本実施例に示した取付金具Ａは、屋根材固定体Ａ１の頭部１１の上面が円弧状になっている。このため、勾配が変わっても、その円弧のいずれかの箇所に屋根材４の水平状部４１が当たる。従って、吊子５の角度を変えることで、屋根材４と取付金具Ａが添うようになって、強固に取り付けることができるものである。
【００２２】
図２１は、これまで説明してきた構造材Ｅとは別の形状の構造材Ｅ’に取り付ける場合を説明している。この構造材Ｅ’は、リップ溝形鋼と称されるものであり、断面が略Ｃ字状をしている。本実施例の場合には、構造材Ｅ’の上辺部Ｅ１が一側が折り下げられてから下辺部Ｅ２へとつながり、他側が折り下げられている。そして、その折り下げ箇所の下縁をくぐるようにして回動体Ａ３がはめられるので、回動体Ａ３の板面３２が平坦ではなく曲げられて角度が付いていることが特徴である。あとの構成や作用は、これまで述べて来た実施例と、同様である。
【００２３】
尚、図１から図２１に示した取付金具Ａには、横方向に貫通されているボルトが示されている。台座Ａ２の側壁部２２・２２と屋根材固定体Ａ１の起立部１２との一側の重なり箇所と、他側の重なり箇所とを貫通している軸ボルトＢ’のことである。また、台座Ａ２の側壁部２２・２２と回動体Ａ３の側面３１・３１との一側の重なり箇所と、他側の重なり箇所とを貫通している軸ボルトＢ’のことである。
これらのボルトは、枢軸の機能を果たしており、屋根材固定体Ａ１と台座Ａ２、または台座Ａ２と回動体Ａ３とが組み合わせられる役目を果たすとともに、それらが動くための軸となっている。このため、それらの図のように、軸ボルトＢ’ねじ切りが、ボルトの先端側にだけ成されているものを用いてもよい。
【００２４】
続いて図２２により、構造材Ｅの下辺部Ｅ２に取り付けた場合の実施例を説明する。これまで述べてきた例は、構造材Ｅの上辺部Ｅ１に取り付け、屋根材４を取り付けるものであった。しかし、本願発明の取付金具Ａは、図２２のように逆向きに取り付けて、天井材などを取り付ける際に使用することもできる。
その場合には、取付金具Ａの台座Ａ２の挿入口２２ａ・２２ａを構造材Ｅの下辺部Ｅ２の一側にはめる。次に、台座Ａ２の台座平面部２１から挿入されている加力ボルトＢを締めて回動体Ａ３の板面３２を押しつけるようにする。このとき、回動体Ａ３の側面３１・３１に形成されている押圧部３１ａ・３１ａが、構造材Ｅの下辺部Ｅ２の裏面側に徐々に押圧されるので、回動体Ａ３が係止し取付金具Ａがしっかり固定されるまで加力ボルトＢを締め付ける。
本実施例の場合にも、取付金具Ａは、回動体Ａ３の押圧部３１ａ・３１ａが構造材Ｅの辺部（本実施例では下辺部Ｅ２）へ取り付けられる際の押圧箇所は、回動体Ａ３が台座Ａ２に組み合わせられた回動中心よりも挿入口２２ａ・２２ａの開口側に設けられている。このとき、回動体Ａ３の回動中心と、押圧部３１ａ・３１ａの中心とは一致せず、押圧部３１ａ・３１ａの中心が挿入口２２ａ・２２ａの開口側へずれていることで、押圧箇所が回動中心よりも挿入口２２ａ・２２ａの開口側となり、押圧箇所が辺部の裏面側にしっかり押圧され、しかも簡単に取り付けることができるのである。
【００２５】
このようにして、取付金具Ａを構造材Ｅに固定したのちに、台座Ａ２に組み合わせられている天井材固定体Ａ４に天井材を取り付けていけばよい。本実施例に示した天井材固定体Ａ４は、上向きに開口する断面略倒コ字状をしており、その底面にナットＣが溶接され、そこにはめられているボルトに天井材を取り付けていく。ここに示した天井材固定体Ａ４は、台座Ａ２と組み合わせられているボルトによって、図２２において左右方向に動かすことができる。
本実施例の場合には、作業者が下から上（天井側）に向かって作業すればよい。このため、たとえば脚立の上に腰かけて腕を伸ばして取り付けるなど、楽で安全な作業ができる。もし、取付金具Ａを取り付ける際に、横方向や、上から下に向かっての作業をするならば、いっそう高所での作業となり、危険が増すし作業もしづらい。
【００２６】
これまで説明してきた取付金具Ａは、いずれも、次のような特徴を持っている。
まず、台座Ａ２の挿入口２２ａ・２２ａが構造材Ｅの上辺部Ｅ１または下辺部Ｅ２にはめられる。そして、台座Ａ２の台座平面部から回動体Ａ３の板面３２に向かって貫通されている加力ボルトＢが締め付けられる。このとき、挿入口２２ａ・２２ａ内に、押圧部３１ａ・３１ａが次第に入り込んでいくが、その加力ボルトＢを締め付けるにつれて、その入り込みも大きくなる。その状態は、図４に示されている。
このように、回動体Ａ３がその加力ボルトＢによって回動され、押圧部３１ａ・３１ａが次第に構造材Ｅの辺部の裏面側に当たりはじめ、挿入口２２ａ・２２ａ内に突出していき、加力ボルトＢが回動体Ａ３の板面３２に強く押し付けられたときに、押圧部３１ａ・３１ａがいっそう大きな押圧力で構造材Ｅの辺部の裏面側に押し付けられる仕組みとなっている。
【００２７】
これは、挿入口２２ａ・２２ａ内に押圧部が次第に当たりはじめるようにするために、回動体Ａ３が台座Ａ２と組み合わせられている軸ボルトＢ’の位置を、回動体Ａ３の回動の中心から、ずらしているためである。つまり、押圧箇所が、回動体Ａ３の回動の中心よりも、挿入口２２ａ・２２ａの開口側になるように組み合わせているのである。このことは、円弧状である押圧部３１ａ・３１ａの中心を＋印で示した、図４及び後述する図２３から図２５により明白である。
このことにより、回動体Ａ３の押圧部３１ａ・３１ａの構造体Ｅの上辺部Ｅ１または下辺部Ｅ２の裏面側への押圧箇所は、回動中心よりも外側になり、その押圧箇所と上辺部Ｅ１または下辺部Ｅ２の裏面側との接触点が支点となる。つまり、回動体Ａ３の板面３２に対して力が加えられることで、台座Ａ２と回動体Ａ３とを貫通している軸ボルトＢ’を中心とした押圧力がかかる。しかも、てこの原理で、力が加わる力点から、支点（軸ボルトＢ’）までの距離が比較的長いため、少しの力で辺部を強く押圧することができる。
【００２８】
さらに、本発明に係る取付金具Ａは、構造材Ｅの中心側（内側）方向への加力も成されている。押圧部３１ａ・３１ａが図４中では時計回りに回転し、構造材Ｅの辺部（図４では上辺部Ｅ１）を台座Ａ２の挿入口２２ａ・２２ａの奥側へ引き込もうとする力が加わることで、逆に台座Ａ２が食い込もうとする力が加わり取付金具Ａが抜けにくくなる。これらのことから、本発明に係る取付金具Ａは、構造材Ｅに対して強固に固定することができるのである。
そのうえ、台座Ａ２と回動体Ａ３とを貫通している軸ボルトＢ’の位置から、回動体Ａ３の板面３２に加力されている位置までの距離が長いため、いっそう強い力を加えることができる。
【００２９】
尚、これまでは加力ボルトＢで加力し続けて係止手段とすることで、取付金具Ａの固定をいっそう強固にする例を示して来た。このほか、特開平８−２３２４０７号のような係止ピンで係止するなどの係止手段を設けることで、回動体Ａ３の回動を阻止し、回動体Ａ３を押圧係止しておく仕組みにすることもできる。このように、回動体Ａ３に対して常に力を加えておくことで、強風や振動で取付金具Ａが外れる可能性が少なくなる。
こういった係止手段の他の実施例について、図２３から図２６により説明する。
図２３は、加力ボルトＢの加力を横方向からにしたものである。この場合には、加力ボルトＢによって板面３２を横方向から押圧するために、回動体Ａ３の板面３２の形状を変形させてある。板面３２の形状は、押圧部３１ａ・３１ａが形成されている側と反対側の端部を延出させて、さらに加力ボルトＢの先端が当たるように湾曲させている。
図２４は、係止手段であるクサビ６を打ち込むために、取付金具Ａを次のように設計してある。台座Ａ２は、本実施例の場合には、台座平面部２１の一側を延出させてから下側に折り下げ、回動体Ａ３は、板面３２の一側を延出させてから上側に折り曲げてある。それらを延出せずに、それぞれの端縁を単に略直角に折り曲げてもよい。そして、それぞれの折り曲げ箇所の間にクサビ６を打ち込む。図２５は、台座Ａ２と回動体Ａ３とをバネ７で接続したものである。この取付金具Ａは、台座Ａ２と回動体Ａ３の端部を握り、構造材Ｅの上辺部Ｅ１に挿入口２２ａ・２２ａを挿入する。次に、上辺部Ｅ１に対して位置決めが成されたときに手を離す。このようにして用いる。
図２６は、リップ溝形鋼に対する係止手段の他の実施例である。ここに示した取付金具Ａは、回動体Ａ３の形状を次のように設計してある。この回動体Ａ３は、側面３１・３１において、押圧部３１ａ・３１ａと反対側が鋸歯状になっている。そして、側面３１と側面３１との上縁をつなぐ板面３２が形成されている。この板面３２をハンマーなどで叩いて、構造材Ｅの下辺部Ｅ２から立ち上げられた箇所に回動体Ａ３が食い込むようにして係止させる。
【００３０】
図２３から図２６は、いずれも押圧部３１ａ・３１ａが構造材Ｅの上辺部Ｅ１の裏面側に押圧されたときに、その押圧を維持するための係止手段を講じたものである。このようにすることで、回動体Ａ３の動きが阻止され、従って取付金具Ａが強固に取り付けられる。
一方、加力ボルトＢを取り付けず、回動体Ａ３の板面３２をハンマーで叩いたり、押圧部３１ａ・３１ａが構造材Ｅを押しつけるように回動体Ａ３を手で下方に押し下げたりして取付金具Ａを固定することもできる。このような方法で取り付けた場合には、いっそう取り付けが容易であるし、逆に取付金具Ａを容易に外すこともできる。このため、取付金具Ａを、再利用したり、解体する予定がある仮設物に使用したりする場合には、そのような方法で取り付けることもできる。
【００３１】
これまで述べたほかに、本願発明に係る取付金具Ａには、さまざまな実施例が考えられる。「回動体Ａ３の回動中心と、押圧部３１ａ・３１ａの中心とは一致せず、その中心が挿入口２２ａ・２２ａの開口側へずれていることで、構造材Ｅへの押圧箇所が回動中心よりも挿入口２２ａ・２２ａの開口側となり、押圧箇所が辺部の裏面側にしっかり押圧され、また、このとき、押圧部３１ａ・３１ａは挿入口２２ａ・２２ａ内に徐々に突出して、押圧固定される。」という特徴をそのままにし、押圧部３１ａ・３１ａの形状を変えたり、他の構造材Ｅの形状に合わせた形状に設計したりすることで、容易に取り付けられ、しかも強固に固定することができる取付金具Ａにするとよい。
【００３２】
【発明の効果】
溶接による取り付けの場合は、高所で溶接器具のコードを引きずりながら作業しなければならないためきわめて危険であり、確実に取り付けるためには手間がかかり熟練を要していた。また、一旦取り付けてしまうと、やり直すことが困難であった。
しかし、本願発明の取付金具は溶接器具を使用しないので安全であり、容易に取り付けることができる。しかも、取り外すことも比較的簡単にできる。
構造材の上辺部を取付金具で両側から挟み込んでボルトで締め付ける取付金具の場合には、構造材の上辺部の幅や厚みが異なると取り付けることができなかった。
また、構造材の上辺部を両側から挟み込んでボルトで締め付ける取付金具の場合には、構造材の上辺部の幅や厚みが異なると取り付けることができなかった。それに比べて本願発明の取付金具は、幅や厚みが多少異なっても対応することができる。
さらに、特開平８−２３２４０７号の場合には、上辺部が平らになるように配設される構造材に対して、上辺部の裏面側に台座の開口部の下側を当て、押圧接点を構造材の上辺部の表面側にして取り付けるため、上辺部の厚みが薄い場合にはゆるくて固定することができず、上辺部の厚みが厚い場合にははめることができない場合があった。さらに、上辺部の裏面側が取付金具の基準となるため、屋根材の高さも不揃いになる可能性があった。
それに引き替え、本願発明の取付金具は、構造材の上辺部に対して、その表面側を基準にして台座を載せるため、取付金具の高さ、ひいては屋根材の高さを一定に保つことができる。
【図面の簡単な説明】
【図１】本願発明に係る取付金具の実施例の斜視図である。
【図２】図１に示した取付金具の正面図である。
【図３】図１に示した取付金具の背面図である。
【図４】図１に示した取付金具の右側面図である。
【図５】図１に示した取付金具の取り付け状態の説明図である。
【図６】図１に示した取付金具の取り付け状態の説明図である。
【図７】図１に示した実施例の一部を変形させた例を示す説明図である。
【図８】図１に示した実施例の一部を変形させた例を示す説明図である。
【図９】図１に示した実施例の一部を変形させた例を示す説明図である。
【図１０】図１に示した実施例の一部を変形させた例を示す説明図である。
【図１１】図１に示した実施例の一部を変形させた例を示す説明図である。
【図１２】図１に示した実施例の一部を変形させた例を示す説明図である。
【図１３】本願発明に係る取付金具の取り付けを強固にする工夫を成した例を示す説明図である。
【図１４】本願発明に係る取付金具の取り付けを強固にする工夫を成した例を示す説明図である。
【図１５】（ア）（イ）は、本願発明に係る取付金具の取り付けを強固にする工夫を成した例を示す説明図である。
【図１６】本願発明に係る取付金具の取り付けを強固にする工夫を成した例を示す説明図である。
【図１７】本願発明に係る取付金具の取り付けを強固にする工夫を成した例を示す説明図である。
【図１８】本願発明に係る取付金具の取り付けを強固にする工夫を成した例を示す説明図である。
【図１９】図５とは異なる形状の屋根材を取り付けるための取付金具の実施例の説明図である
【図２０】（ア）（イ）は、さらに異なる形状の屋根材を取り付けるための取付金具の実施例の説明図である
【図２１】本願発明に係る取付金具を、別の構造材に取り付ける場合の説明図である。
【図２２】天井材を取り付けるために、取付金具の構造材への取り付け位置を変えた例を示す説明図である。
【図２３】本発明に係る取付金具の係止手段の他の実施例を示す説明図である。
【図２４】本発明に係る取付金具の係止手段の他の実施例を示す説明図である。
【図２５】本発明に係る取付金具の係止手段の他の実施例を示す説明図である。
【図２６】本発明に係る取付金具の係止手段の他の実施例を示す説明図である。
【図２７】従来技術を示す説明図である。
【符号の説明】
Ａ      取付金具
Ａ１    屋根材固定体
１１    頭部
１１ａ  頂部分
１１ｂ  突出部分
１１ｃ  斜辺部分
１２    起立部
１２ａ  ボルト回り止め
Ａ２    台座
２１    台座平面部
２２    側壁部
２２ａ  挿入口
２３    背面部
Ａ３    回動体
３１    側面
３１ａ  押圧部
３２    板面
３２ａ  くぼみ部
Ａ４    天井材固定体
Ｂ      加力ボルト
Ｂ’    軸ボルト
Ｃ      ナット
Ｄ      座金
Ｅ      構造材
Ｅ’    構造材
Ｅ１    上辺部
Ｅ２    下辺部
４      屋根材
４１    水平状部
４２    谷部
４３    斜面部
４３ａ  嵌合部分
４４    内側ハゼ
４５    外側ハゼ
４６    山部
５      吊子
６      クサビ
７      バネ
【図１】
0003676652.tif 000002
【図２】
0003676652.tif 000003
【図３】
0003676652.tif 000004
【図４】
0003676652.tif 000005
【図５】
0003676652.tif 000006
【図６】
0003676652.tif 000007
【図７】
0003676652.tif 000008
【図８】
0003676652.tif 000009
【図９】
0003676652.tif 000010
【図１０】
0003676652.tif 000011
【図１１】
0003676652.tif 000012
【図１２】
0003676652.tif 000013
【図１３】
0003676652.tif 000014
【図１４】
0003676652.tif 000015
【図１５】
0003676652.tif 000016
【図１６】
0003676652.tif 000017
【図１７】
0003676652.tif 000018
【図１８】
0003676652.tif 000019
【図１９】
0003676652.tif 000020
【図２０】
0003676652.tif 000021
【図２１】
0003676652.tif 000022
【図２２】
0003676652.tif 000023
【図２３】
0003676652.tif 000024
【図２４】
0003676652.tif 000025
【図２５】
0003676652.tif 000026
【図２６】
0003676652.tif 000027
【図２７】
0003676652.tif 000028